【手続補正書】
【提出日】令和2年12月22日(2020.12.22)
【手続補正１】
【補正対象書類名】特許請求の範囲
【補正対象項目名】全文
【補正方法】変更
【補正の内容】
【特許請求の範囲】
【請求項１】
操作手段への操作に応じて実行される機能の動作量に対応する設定値を設定する設定手段と、
前記設定値を変更する指示を受け付ける受付手段と、を有し、
前記設定手段は、前記操作手段への第１の操作量に応じて実行される機能の動作量に対応する第１の設定値が前記操作手段への前記第１の操作量よりも小さな第２の操作量に応じて実行される機能の動作量に対応する第２の設定値よりも大きい状態で、前記第１の設定値および前記第２の設定値のうち一方を前記第１の設定値が前記第２の設定値よりも小さくなるように変更する指示がされたことに応じて、前記指示がなされた前記第１の設定値および前記第２の設定値のうち一方を変更すると共に、変更後の前記第１の設定値が前記第２の設定値以上になるように、前記第１の設定値および前記第２の設定値の他方を変更することを特徴とする電子機器。
【請求項２】
前記設定値が大きいほど、対応する前記動作量が大きいことを特徴とする請求項１に記載の電子機器。
【請求項３】
前記設定手段は、前記第１の設定値が前記第２の設定値よりも大きい状態で、前記第１の設定値および前記第２の設定値のうち一方を前記第１の設定値が前記第２の設定値よりも小さくなるように変更する指示がされたことに応じて、前記指示がなされた前記第１の設定値および前記第２の設定値のうち一方を変更すると共に、変更後の前記第１の設定値が前記第２の設定値と等しくなるように、前記第１の設定値および前記第２の設定値の他方を変更することを特徴とする請求項１または２に記載の電子機器。
【請求項４】
前記設定手段は、前記第２の設定値が変更される指示がされたことにより、前記第１の設定値と第２の設定値との大小関係が変化する場合、前記第２の設定値を指示された設定値に変更すると共に、前記第１の設定値を変更するように制御することを特徴とする請求項１乃至３のいずれか１項に記載の電子機器。
【請求項５】
前記設定手段は、前記第２の設定値が変更される指示がされたことにより、前記第２の設定値と前記第１の設定値との大小関係が変化する場合、前記第２の設定値を指示された設定値に変更すると共に、前記第１の設定値としてユーザが選択可能な設定値の数を前記指示の前よりも少なくするように制御することを特徴とする請求項１乃至４のいずれか１項に記載の電子機器。
【請求項６】
前記設定手段は、前記第２の設定値が変更されることにより、前記第２の設定値が前記第１の設定値よりも大きくなる、または前記第２の設定値が前記第１の設定値以上になる場合、前記第１の設定値を前記第２の設定値よりも大きい設定値、または前記第１の設定値を前記第２の設定値以上に変更するように制御することを特徴とする請求項１乃至５のいずれか１項に記載の電子機器。
【請求項７】
前記設定手段は、前記第２の設定値が変更される指示がされたことにより、前記第２の設定値と前記第１の設定値との大小関係が変化する場合、前記第１の設定値の候補のうち、前記第２の設定値よりも小さい、または前記第２の設定値以下の設定値の候補を選択できないように制御することを特徴とする請求項１乃至６のいずれか１項に記載の電子機器。
【請求項８】
前記設定手段は、前記第１の設定値が変更される指示がされたことにより、前記第１の設定値と第２の設定値との大小関係が変化する場合であって、前記第２の設定項目の設定値がユーザによって設定された設定値である場合には、前記第１の設定値を変更できない旨を報知するように制御することを特徴とする請求項１乃至７のいずれか１項に記載の電子機器。
【請求項９】
前記設定手段は、前記操作手段への操作量を複数の範囲に分けたうち、前記第１の操作量を含む第１の範囲に含まれる操作量の操作がされたことに応じて実行される機能の動作量を前記第１の設定値として設定可能であり、前記複数の範囲に分けたうち、前記第２の操作量を含む第２の範囲に含まれる操作量の操作がされたことに応じて実行される機能の動作量を前記第２の設定値として設定可能であることを特徴とする請求項１乃至８のいずれか１項に記載の電子機器。
【請求項１０】
前記設定手段は、前記第２の設定値が前記第２の操作量よりも小さな第３の操作量に応じて実行される機能の動作量に対応する第３の設定値よりも大きい状態で、前記第２の設定値を前記第２の設定値が前記第３の設定値よりも小さくなるように変更する指示がされた場合に、前記第２の設定値を前記指示に応じて変更すると共に、変更後の前記第２の設定値が前記第３の設定値以上になるように、前記第３の設定値を変更することを特徴とする請求項１乃至５のいずれか１項に記載の電子機器。
【請求項１１】
前記設定手段は、前記第２の設定値が変更される指示がされたことにより、前記第２の設定値と、前記第２の操作量よりも小さな第３の操作量に応じて実行される機能の動作量を示す第３の設定値との大小関係が変化する場合、前記第２の設定値を指示された設定値に変更すると共に、前記第３の設定値としてユーザが選択可能な設定値の数を前記指示の前よりも少なくするように制御することを特徴とする請求項１乃至６のいずれか１項に記載の電子機器。
【請求項１２】
前記設定手段は、前記第２の設定値が変更される指示がされたことにより、前記第２の設定値と前記第２の操作量よりも小さな第３の操作量に応じて実行される機能の動作量を示す第３の設定値との大小関係が変化する場合、前記第３の設定値の候補のうち、前記第２の設定値よりも大きい、または前記第２の設定値以上の設定値の候補を選択できないように制御することを特徴とする請求項１１に記載の電子機器。
【請求項１３】
大小関係を維持するように変更した設定値であることをユーザに識別可能に表示するように制御する表示制御手段を有することを特徴とする請求項１乃至１２のいずれか１項に記載の電子機器。
【請求項１４】
前記設定手段は、設定項目の設定値を変更する指示がされたことに応じて、当該指示のされた設定項目の他に、２つ以上の設定項目の設定値に対して、大小関係を維持するための制御を行うようにすることを特徴とする請求項１乃至１３のいずれか１項に記載の電子機器。
【請求項１５】
前記設定値は、数値、日時、面積、体積または時間であることを特徴とする請求項１乃至１４のいずれか１項に記載の電子機器。
【請求項１６】
前記設定値は、高低、上下、強弱または優劣があり、比較可能であることを特徴とする請求項１乃至１４のいずれか１項に記載の電子機器。
【請求項１７】
複数の設定項目のそれぞれ設定値を設定する設定手段と、
第１の設定値、第２の設定値、第３の設定値の順に設定値が小さくなる大小関係において、前記第２の設定値が前記第１の設定値よりも大きい、または前記第２の設定値が前記第１の設定値以上となるように前記第２の設定値を変更する指示がされた場合、もしくは前記第２の設定値が前記第３の設定値よりも小さい、または前記第２の設定値が前記第３の設定値以下となるように前記第２の設定値を変更する指示がされた場合に、前記大小関係を維持するように制御する制御手段と、を有することを特徴とする電子機器。
【請求項１８】
操作手段への操作量を取得する取得手段を更に有し、
前記設定手段は、前記操作手段への操作に応じて実行される機能の動作量を設定可能であり、
前記制御手段は、前記操作手段への第１の操作量に応じて実行される機能の動作量を示す第１の設定値と、前記操作手段への前記第１の操作量よりも小さな第２の操作量に応じて実行される機能の動作量を示す第２の設定値とのうち、いずれかの設定値を変更する指示であり、前記第１の設定値が前記第２の設定値よりも小さくなる指示がされたことに応じて、前記指示に応じて設定値を変更すると共に、前記第１の設定値と前記第２の設定値の大小関係が維持されるように制御することを特徴とする請求項１７に記載の電子機器。
【請求項１９】
操作手段への操作に応じて実行される機能の動作量に対応する設定値を設定する設定ステップと、
前記設定値を変更する指示を受け付ける受付ステップと、を有し、
前記設定ステップでは、前記操作手段への第１の操作量に応じて実行される機能の動作量に対応する第１の設定値が前記操作手段への前記第１の操作量よりも小さな第２の操作量に応じて実行される機能の動作量に対応する第２の設定値よりも大きい状態で、前記第１の設定値および前記第２の設定値のうち一方を前記第１の設定値が前記第２の設定値よりも小さくなるように変更する指示がされたことに応じて、前記指示がなされた前記第１の設定値および前記第２の設定値のうち一方を変更すると共に、変更後の前記第１の設定値が前記第２の設定値以上になるように、前記第１の設定値および前記第２の設定値の他方を変更することを特徴とする電子機器の制御方法。
【請求項２０】
複数の設定項目のそれぞれ設定値を設定する設定ステップと、
第１の設定値、第２の設定値、第３の設定値の順に設定値が小さくなる大小関係において、前記第２の設定値が前記第１の設定値よりも大きい、または前記第２の設定値が前記第１の設定値以上となるように前記第２の設定値を変更する指示がされた場合、もしくは前記第２の設定値が前記第３の設定値よりも小さい、または前記第２の設定値が前記第３の設定値以下となるように前記第２の設定値を変更する指示がされた場合に、前記大小関係を維持するように制御する制御ステップと、を有することを特徴とする電子機器の制御方法。
【請求項２１】
コンピュータを、請求項１乃至１８のいずれか１項に記載された電子機器の各手段として機能させるためのプログラム。
【請求項２２】
コンピュータを、請求項１乃至１８のいずれか１項に記載された電子機器の各手段として機能させるためのプログラムを格納したコンピュータが読み取り可能な記録媒体。
【手続補正２】
【補正対象書類名】明細書
【補正対象項目名】０００５
【補正方法】変更
【補正の内容】
【０００５】
本発明は、操作手段への操作に応じて実行される機能の動作量に対応する設定値を設定する設定手段と、前記設定値を変更する指示を受け付ける受付手段と、を有し、前記設定手段は、前記操作手段への第１の操作量に応じて実行される機能の動作量に対応する第１の設定値が前記操作手段への前記第１の操作量よりも小さな第２の操作量に応じて実行される機能の動作量に対応する第２の設定値よりも大きい状態で、前記第１の設定値および前記第２の設定値のうち一方を前記第１の設定値が前記第２の設定値よりも小さくなるように変更する指示がされたことに応じて、前記指示がなされた前記第１の設定値および前記第２の設定値のうち一方を変更すると共に、変更後の前記第１の設定値が前記第２の設定値以上になるように、前記第１の設定値および前記第２の設定値の他方を変更することを特徴とする。